(57)【特許請求の範囲】
【請求項１】
第１布帛の一端部と第２布帛の一端部とを接合して接合布帛を製造する接合布帛の製造方法であって、
前記第１布帛の一端部上に前記第２布帛の一端部を、該第１布帛の他端部と該第２布帛の他端部とが互いに逆方向を向くように重ね合わせて重ね合わせ部を形成する工程と、
前記第２布帛の一端部上であって前記重ね合わせ部に長尺体を配する工程と、
前記第１布帛の一端部、前記第２布帛の一端部、及び前記長尺体を偏平縫いにより縫い合わせる工程と、
を有することを特徴とする接合布帛の製造方法。
【請求項２】
前記長尺体は、織物からなる請求項１に記載の接合布帛の製造方法。
【請求項３】
前記長尺体が縫い糸と同じ組成の繊維で構成された織物又は編物である請求項１又は２に記載の接合布帛の製造方法。
【請求項４】
前記長尺体は縫い糸と異なる色である請求項１〜３のいずれか１項に記載の接合布帛の製造方法。
【請求項５】
第１布帛の一端部上に第２布帛の一端部が、該第１布帛の一端部と該第２布帛の一端部とが互いに逆方向を向き、該第１布帛の他端部と該第２布帛の他端部とが互いに逆方向を向くように重ね合わされた重ね合わせ部上であって、前記第２布帛の一端部に配された長尺体を備え、
前記第１布帛の一端部、前記第２布帛の一端部、及び前記長尺体が偏平縫いにより縫い合わされてなることを特徴とする接合布帛。
【請求項６】
布帛上に配された長尺体を備え、
前記布帛及び前記長尺体が偏平縫いされていることを特徴とする長尺体付布帛。
【請求項７】
請求項１から４のいずれか１項に記載の接合布帛を製造する接合布帛の製造装置であって、
縫い針を上下に駆動する針駆動部と、
ベッド部上を移動する第１布帛、第２布帛及び長尺体を上下方向に押圧する押さえ部と、
前記針駆動部よりも上流側に設けられ、前記長尺体を案内するガイド部と、
を有することを特徴とする接合布帛の製造装置。
【請求項８】
前記ガイド部は、前記長尺体の下流側が前記第２布帛に向かって傾斜するよう前記押さえ部に取り付けられている請求項７に記載の接合布帛の製造装置。
【発明の詳細な説明】
【技術分野】
【０００１】
本発明は、複数の布帛が接合された接合布帛の製造方法、その製造装置、接合布帛及び長尺体付布帛に関するものである。
【背景技術】
【０００２】
従来肌着等の前身頃と後身頃との肩部の縫い合わせ部や、ショーツ又はブリーフの裾口に補強テープやゴムテープを縫い込む装置が知られている。
【０００３】
例えば特許文献１には、テープを肩部の全長に亘って縫込むのではなく、襟口のラッパ部分および袖身頃との縫い継ぎ部を除く肩部の途中部分に部分的に縫込むことにより、襟口のラッパ部分および袖身頃との縫い継ぎ部がダンゴ状に嵩高くなることによる外観および着心地の悪化を解消するテープ縫込み装置も提案されている。このテープ縫込み装置によれば、テープを肩部の途中部分に部分的に自動的に縫込むに当たって、柔軟なテープを確実に所定の位置に供給して仕上がり良く縫込むことができる。
【０００４】
他方、例えば特許文献２には、二つの布地の縁を揃えた状態で一方の布地と他方の布地を重ね合わせ積層体を形成した後、積層体の縁上に長尺な装飾用のテープを載置して、振り糸により上記装飾用のテープを縫い込みながら縁かがりを行うオーバーロックミシンが提案されている。
【先行技術文献】
【特許文献】
【０００５】
【特許文献１】実開平５−９４７１号公報
【特許文献２】特許第４５３７９４７号公報
【発明の概要】
【発明が解決しようとする課題】
【０００６】
上記従来技術はオーバーロックミシンを使用して縫製された肌着等において装飾性を向上するものであるが、例えばスポーツウェア等においてもデザイン性をコントロールできるようにすることが要望されている。
【０００７】
本発明はかかる事情に鑑みてなされたものであり、本発明の目的は、デザイン性をコントロールすることができる接合布帛の製造方法、その製造装置、接合布帛及び長尺体付布帛を提供することである。
【課題を解決するための手段】
【０００８】
本発明に係る接合布帛の製造方法は、第１布帛の一端部と第２布帛の一端部とを接合して接合布帛を製造する接合布帛の製造方法であって、第１布帛の一端部上に第２布帛の一端部を重ね合わせて重ね合わせ部を形成する工程と、第２布帛の一端部上であって重ね合わせ部に長尺体を配する工程と、第１布帛の一端部、第２布帛の一端部、及び長尺体を縫い合わせる工程と、を有することを要旨とする。なお、縫い合わせる工程では公知の偏平縫いが行われてもよい。
【０００９】
従来着用する人の体型等によって接合布帛の接合部分が極端に伸びたり、逆に全く伸びなかったりするので、当該接合部分におけるベース生地（布帛）の見え方が異なっていることに気付いた。接合部分が伸びた場合には縫い目の間隔が広がるので、当該縫い目からベース生地（布帛）が見え易くなる。そのため、縫い糸により形成されるラインの色が、生地である布帛の色に依存してしまう結果となっていた。その結果、上記ラインの色がデザイン設計者の意図する色とは異なることとなっていた。
【００１０】
そこで、本発明に係る接合布帛の製造方法においては、第１布帛の一端部、第２布帛の一端部、及び長尺体を縫い合わすことによって、縫い目の隙間を長尺体で隠して当該縫い目から見えるベース生地を見えなくすることができる。これにより、重ね合わせ部（接合部）におけるデザイン性をコントロールすることができる。
【００１１】
また、材料を適宜選択した長尺体を用いることで、接合部分の伸縮性をコントロールすることができる。例えば第１布帛及び第２布帛の伸縮性よりも低い伸縮性を有する長尺体を採用する場合には、接合部分の伸縮性を抑制することができる。その結果、第１布帛と第２布帛との接合が解かれる可能性（ホツレが生じる可能性）を低くすることができる。一方、第１布帛及び第２布帛の伸縮性よりも高い伸縮性を有する長尺体を採用する場合には、デザイン性をコントロールしつつ、接合部分の伸縮性を向上することができる。
【００１２】
さらに、例えば長尺体の色を縫い糸と同じ色にすると当該縫い糸が見え難くなるので、接合部分が伸びた場合でも上記ラインとしての色をデザイン設計者の意図する色にすることができる。これにより、例えばスポーツウェアを１つのチームとして使用する場合にはデザイン的な統一感を向上できる。
【００１３】
逆に長尺体の色を縫い糸と異なる色にする場合でも、上述したようにベース生地を見えなくすることができるとともに、当該長尺体の色と縫い糸の色とのバランスによって視覚的効果を奏することができ、デザイン性をコントロールすることができる。
【００１４】
長尺体は縫い糸と同じ組成の繊維で構成された織物又は編物であることが好ましい。このようにすれば、長尺体の色と縫い糸の色とを同じにすることができるので、上述の通りデザイン性をコントロールできる。
【００１５】
本発明に係る接合布帛は、第１布帛の一端部上に第２布帛の一端部が重ね合わされた重ね合わせ部上であって、第２布帛の一端部に配された長尺体を備え、第１布帛の一端部、第２布帛の一端部、及び長尺体が縫い合わされてなることを要旨とする。
【００１６】
本発明に係る長尺体付布帛は、布帛上に配された長尺体を備え、布帛及び長尺体が偏平縫いされていることを要旨とする。
【００１７】
本発明に係る長尺体付布帛では、布帛上に長尺体が偏平縫いされることで、単に布帛のみを採用する場合に比べ、長尺体によってデザインを表現することができるので当該デザインの幅を拡大することができる。また、このように長尺体を縫い合わせても、当該長尺体の色を縫い糸の色と同等なものにすれば縫い目の不揃いが見え難くなり、品質向上を実現することが可能となる。
【００１８】
本発明に係る接合布帛の製造装置は、上記の接合布帛を製造する接合布帛の製造装置であって、縫い針を上下に駆動する針駆動部と、ベッド部上を移動する第１布帛、第２布帛及び長尺体を上下方向に押圧する押さえ部と、針駆動部よりも上流側に設けられ、長尺体を案内するガイド部と、を有することを要旨とする。
【００１９】
本発明に係る接合布帛の製造装置においては、第１布帛、第２布帛及びガイド部により案内される長尺体が押さえ部によって上下方向に押圧され、これらが併せて縫い合わされる。このような製造装置によって製造された接合布帛は、上述したようにデザイン性がコントロールされたものである。
【００２０】
ガイド部は、長尺体の下流側が第２布帛に向かって傾斜するよう押さえ部に取り付けられていることが好ましい。この場合、長尺体を第２布帛に向かって挿入し易くなる。
【発明の効果】
【００２１】
本発明によれば、第１布帛の一端部、第２布帛の一端部、及び長尺体が縫い合わされることでデザイン性をコントロールすることができる。また、併せて長尺体材料の選択的採用により接合部分の伸縮性をコントロールすることもできる。
【図面の簡単な説明】
【００２２】
【図１】本実施形態に係る接合布帛の製造装置の全体構成を示す斜視図である。
【図２】接合布帛の製造装置の主要構成を示す斜視図である。
【図３】押さえ部の周囲の構成を示す拡大斜視図である。
【図４】本実施形態に係る接合布帛の側面図である。
【図５】本実施形態に係る接合布帛の写真である。
【図６】本実施形態に係る長尺体付布帛の側面図である。
【発明を実施するための形態】
【００２３】
本発明に係る接合布帛、接合布帛の製造方法及びその製造装置について図面を参照しながら説明する。
【００２４】
１．製造装置
（１）製造装置の全体構成
図１は本実施形態に係る接合布帛の製造装置（ミシン）１００の全体構成を示す斜視図であり、図２は製造装置１００の主要構成を示す斜視図である。
【００２５】
接合布帛の製造装置１００は、布帛送り方向と直交する方向に沿って一列に並んだ複数の縫い針により平行に形成される複数の縫い目に対して、縫い糸を左右に蛇行させつつ平行な縫い目に縫い込ませることができる、いわゆる偏平縫いが可能なミシンである。
【００２６】
図１に示すように、本実施形態に係る接合布帛の製造装置１００においては、ミシンフレーム１のベッド部２に沿って被縫製物である布帛の送りが行われ、縫製作業の際には、縦胴部３側から作業者が縫製作業を行うことから、その手元を見易くするため、ミシンフレーム１はそのベッド部２とアーム部４とが上面視で重ならないような形状となっている。
【００２７】
図２に示すように、接合布帛の製造装置１００は、布帛の送り方向Ａと直交する方向に沿って一列に並んだ四本の縫い針１１〜１４を備える針駆動部としての針棒１５と、被縫製物である布帛（図示せず）を上方から押さえる押さえ部２０と、この押さえ部２０を下端部で支持する押さえ棒２１と、押さえ棒２１を介して押さえ部２０による押さえ圧を付与する押圧バネ２２とを備える。
【００２８】
接合布帛の製造装置１００はさらに、針落ちの際に縫い糸を張った状態で保持するキャリア３１及びフック３２と、ミシンモータにより全回転を行う主軸１６と、主軸１６の全回転運動を往復運動に変換し、往復回動軸１７に往復運動を伝達する動力伝達機構４０と、往復回動軸１７からキャリア３１に対して往復回動力の伝達を行う第一伝達機構５０と、往復回動軸１７からフック３２に対して往復回動力の伝達を行う第二伝達機構６０とを備える。
【００２９】
針棒１５は上下方向に沿って上下動可能となるようにミシンフレーム１に支持されている。そして、針棒１５の下端部には針留め１８が設けられており、上述したように、四本の縫い針１１〜１４が送り方向Ａと直交する方向に沿って一列に並んで保持されている。
【００３０】
押さえ部２０を下端部で保持する押さえ棒２１は、針棒１５に隣接し、上下動可能となるようミシンフレーム１に支持されている。
【００３１】
往復回動軸１７は筒状であって、この中に押さえ棒２１が挿入されている。往復回動軸１７は、ミシンフレーム１により回動可能に支持されており、往復回動軸１７の回動中心は押さえ棒２１の軸心と一致する。
【００３２】
往復回動軸１７に往復回動を付与する動力伝達機構４０は、主軸１６に固定された偏心カム４１と、偏心カム４１を一端部で回転可能に保持する往復ロッド４２と、往復ロッド４２の他端部に連結されると共に往復回動軸１７の上端部を保持する軸抱き部材４３とを有している。
【００３３】
往復ロッド４２は、主軸１６に直交し且つほぼ水平方向に配されている。偏心カム４１は主軸１６に対して偏心しているので、主軸１６が回転駆動を行うと、往復ロッド４２の一端部は主軸１６を中心として周回運動を行うこととなる。往復ロッド４２は、一端部で周回運動を行うと、他端部には周回運動の水平方向成分のみが伝達され、当該他端部はほぼ水平方向に沿って進退運動を行うこととなる。往復ロッド４２の他端部は、球面軸受け４２ａを介して軸抱き部材４３と連結されており、軸抱き部材４３には往復ロッド４２の延出方向に沿った進退運動が伝達される。このような構成により、軸抱き部材４３は、往復回動軸１７と共に針棒１５を中心とする旋回運動を行い、往復回動軸１７は往復回動を行う構成となっている。
【００３４】
（２）押さえ部の周囲の構成
図３は押さえ部２０の周囲の構成を示す拡大斜視図である。
【００３５】
図３に示すように、第一伝達機構５０は、往復回動軸１７の下端部に連結される回動アーム５１と、回動アーム５１の回動端部に一端部が連結された伝達リンク５２と、伝達リンク５２の他端部にレバー先端が連結されたレバー軸５３とを有する。
【００３６】
回動アーム５１は、往復回動軸１７の下端部に設けられた鈎状部１７ａと係合する凹部５１ａを有しており、往復回動軸１７と一体的に針棒１５を中心として回動を行う。そして、回動アーム５１は、針棒１５を中心とする半径方向に延出されており、延出された回動端部の一方の側面の近傍で伝達リンク５２の一端部と連結されている。
【００３７】
第一伝達機構５０は、一節を往復回動軸１７とする四節リンク機構を構成しており、往復回動軸１７に同期してその往復回動がキャリア３１に伝達される。
【００３８】
第二伝達機構６０は、回動アーム５１を第一伝達機構５０と共有で用いる構成となっており、回動アーム５１と、この回動アーム５１の回動端部に一端部が連結された伝達リンク６１と、伝達リンク６１の他端部にレバー先端が連結されたレバー軸６２とから構成されている。回動アーム５１の回動端部の他方の側面の近傍には、伝達リンク６１の一端部が連結されている。
【００３９】
第二伝達機構６０も、第一伝達機構５０と同様に、一節を往復回動軸１７とする四節リンク機構を構成しており、往復回動軸１７に同期してその往復回動がフック３２に伝達される。
【００４０】
このような構成を有する接合布帛の製造装置１００においては、ミシンモータの駆動により主軸１６が回転駆動を行い、針棒１５が上下動する。そして、主軸１６の回転駆動が動力伝達機構４０を介して往復回動動作に変換されて往復回動軸１７に伝達され、さらに、第一及び第二伝達機構１５０，１６０が縫い針１１〜１４の上下動に同期してキャリア３１及びフック３２を所定に往復回動させることで偏平縫いを行う。
【００４１】
（３）長尺体のガイド部
上述の図３において、長尺体Ｔを下流側（針棒１５や縫い針１１〜１４側）に案内するガイド部７０がネジ等の締結部材７１によって押さえ部２０に取り付けられている。なおガイド部７０は、長尺体Ｔの下流側が布帛に向かって傾斜するように取り付けられている。
【００４２】
２．接合布帛
本実施形態に係る接合布帛は、第１布帛の一端部上に第２布帛の一端部が重ね合わされた重ね合わせ部上であって、第２布帛の一端部に配された長尺体を備えており、第１布帛の一端部、第２布帛の一端部、及び長尺体が縫い合わされてなるものである。縫い合わせは公知の偏平縫い等により行われる。
【００４３】
第１布帛及び第２布帛は織物、編物、不織布、又は樹脂フィルムでラミネートした生地や樹脂でコーティングした素材等により構成される。また、長尺体Ｔは織物、編物、不織布、樹脂フィルム、又は樹脂フィルムでラミネートした生地や樹脂でコーティングした素材等により構成される。
【００４４】
例えば、第１及び第２布帛としてツーウェイトリコット編物を用い、長尺体Ｔとして細幅織ゴムテープを用いると接合部分の伸縮性を良好に抑制でき、第１及び第２布帛としてツーウェイトリコット編物を用い、長尺体Ｔとしてポリウレタン樹脂フィルムを用いると接合部分の伸縮性を良好に向上することができる。
【００４５】
３．接合布帛の製造方法
図４は本実施形態に係る接合布帛の側面図であり、図５は接合布帛の写真である。
【００４６】
図４に示すように、まず第１布帛８０の一端部上に第２布帛８１の一端部を重ね合わせて重ね合わせ部８２を形成する。そして、第２布帛８１の一端部上であって重ね合わせ部８２に長尺体Ｔを配した後、第１布帛８０の一端部、第２布帛８１の一端部、及び長尺体Ｔを偏平縫いＨにより縫い合わせることにより、接合布帛２００を製造する。なお本実施形態では、長尺体Ｔ側が接合布帛２００の表側である。
【００４７】
本実施形態に係る接合布帛２００は例えばスポーツウェアに適用される。スポーツウェア等において生地である布帛の色に対して異なる縫い糸の色を採用する場合、図５（ａ）に示すように長尺体Ｔを使用しないと、偏平縫いＨの隙間から第２布帛８１の面が見えてしまう。その結果、縫い目の開き具合（隙間）の揃い方が顕著に現れる。縫製スピード等が異なる場合には、偏平縫いＨの縫い目の開き具合（隙間）が不揃いになる傾向があるので、この不揃いが顕著に見えてしまう。
【００４８】
特にスポーツウェア等の生地はストレッチ素材であるため、使用者の着用によって当該生地の伸縮度合いが異なるので、縫い目の開き具合（隙間）不揃いが顕著に発生したり、あまり発生しなかったりし、ラインとしての縫い糸の色が生地である布帛の色に依存してしまう結果となる。その結果、ラインの色がデザイン設計者の意図する色になり得ることが困難となる。スポーツウェアを１つのチームとして使用する場合には、デザイン的な統一感が低くなってしまう。
【００４９】
一方、本発明では図５（ｂ）に示すように、例えば縫い糸と同じ組成の繊維（同じ色）の長尺体Ｔを第１布帛８０及び第２布帛８１と併せて縫い合わせることによって、縫い目の開き具合（隙間）の不揃いが見え難くなる。それにより、縫い目からベース生地である接合布帛が見え難くなるので、接合部分が伸びた場合でもラインとしての色をデザイン設計者の意図する色にすることができる。これにより、接合布帛を１つのチームとして使用するスポーツウェア等に適用する場合には、デザイン的な統一感を向上することができる。
【００５０】
上記とは逆に、例えば青色の長尺体Ｔと白色の縫い糸とを用いる場合のように、長尺体Ｔとして縫い糸と異なる色のものを採用する場合でも、長尺体Ｔの色が背景色となり縫い糸を際立たせることができ視覚的効果を奏することができるので、デザイン性をコントロールすることができる。
【００５１】
また、長尺体Ｔとしては、第１布帛８０及び第２布帛８１の伸縮性と同等或いはそれよりも高い伸縮性を有するもの、又は当該伸縮性よりも低い伸縮性のものを適宜選択して用いることができる。例えば第１布帛８０及び第２布帛８１の伸縮性よりも低い伸縮性を有する長尺体Ｔを採用する場合には、縫い目部分の伸縮性を抑制することができるので、第１布帛８０と第２布帛８１との接合が解かれる可能性（ホツレが生じる可能性）を低くすることができる。一方、第１布帛８０及び第２布帛８１の伸縮性よりも高い伸縮性を有する長尺体Ｔを採用する場合には、デザイン性をコントロールしつつ、接合部分の伸縮性を向上することができる。
【００５２】
本発明はもとより上記実施形態によって制限を受けるものではなく、本発明の趣旨に適合し得る範囲で適当に変更を加えて実施することも勿論可能であり、それらはいずれも本発明の技術的範囲に包含される。
【００５３】
なお、上記実施形態では、２枚の布帛を接合した接合布帛２００に長尺体Ｔを用いたが、これに限定されるものではなく、図６に示すように１枚の布帛８０と当該布帛８０上に配された異なる色の長尺体Ｔとを偏平縫いすることにより長尺体付布帛３００を製造する場合でも、デザイン性をコントロールすることができる。
【符号の説明】
【００５４】
１  ミシンフレーム
２  ベッド部
１１〜１４  縫い針
１５  針棒
２０  押さえ部
７０  ガイド部
７１  締結部材
８０  第１布帛
８１  第２布帛
８２  重ね合わせ部
１００  接合布帛の製造装置
２００  接合布帛
３００  長尺体付布帛
Ｈ  偏平縫い
Ｔ  長尺体
【図１】
0005421327.tif 000002
【図２】
0005421327.tif 000003
【図３】
0005421327.tif 000004
【図４】
0005421327.tif 000005
【図６】
0005421327.tif 000006
【図５】
0005421327.tif 000007